(57)【特許請求の範囲】
【請求項１】
外部電力系統に接続される電力線と、前記電力線に発電電力を供給可能な発電装置と、前記電力線に対して各別に接続される複数の蓄電装置と、前記複数の蓄電装置の動作を制御する制御装置とを備え、前記外部電力系統と前記発電装置と前記蓄電装置との少なくとも何れか一台以上から供給される電力を複数の電力消費装置に供給可能な電力供給システムであって、
前記複数の蓄電装置の内の一つ又は二以上の第１蓄電装置には前記複数の電力消費装置の内の少なくとも一つの第１電力消費装置が接続され、
前記複数の蓄電装置の内の他の一つ又は二以上の第２蓄電装置には前記複数の電力消費装置の内の他の少なくとも一つの第２電力消費装置が接続され、
前記第１電力消費装置には、当該第１電力消費装置の消費電力を超えない範囲内で前記第１蓄電装置が放電する電力と、前記外部電力系統から前記電力線を介して供給される電力と、前記発電装置から前記電力線を介して供給される電力との少なくとも何れかが供給され、
前記第２電力消費装置には、当該第２電力消費装置の消費電力を超えない範囲内で前記第２蓄電装置が放電する電力と、前記外部電力系統から前記電力線を介して供給される電力と、前記発電装置から前記電力線を介して供給される電力との少なくとも何れかが供給され、
前記制御装置は、前記第１蓄電装置に対する充電動作の指令を前記第２蓄電装置に対する充電動作の指令よりも優先して与えようとする制御、及び、前記第２蓄電装置に対する放電動作の指令を前記第１蓄電装置に対する放電動作の指令よりも優先して与えようとする制御の少なくとも何れか一方を行い、
前記発電装置は、前記電力線で要求される負荷電力に追従して発生させる発電電力を前記電力線に供給し、
前記制御装置は、
前記複数の電力消費装置による合計消費電力が充電用設定電力より小さいとき、前記発電装置の発電電力が前記充電用設定電力より小さければ、前記複数の蓄電装置の少なくとも何れか１台に充電動作の指令を与えようとし、
前記複数の電力消費装置による前記合計消費電力が、前記充電用設定電力以上である放電用設定電力より大きいとき、前記発電装置の発電電力が前記放電用設定電力以上であれば、前記複数の蓄電装置の少なくとも何れか１台に放電動作の指令を与えようとし、
前記第１蓄電装置は、放電動作の指令が与えられると前記第１電力消費装置の消費電力に相当する電力を放電するように構成され、
前記第２蓄電装置は、放電動作の指令が与えられると前記第２電力消費装置の消費電力に相当する電力を放電するように構成され、
前記制御装置は、前記複数の蓄電装置の少なくとも何れか１台に放電動作の指令を与えようとするとき、
前記第２蓄電装置に対しては、前記第２蓄電装置の蓄電量が第２設定下限値以下ではないこと、且つ、前記第２電力消費装置の消費電力が零ではないこと、且つ、前記第２蓄電装置が前記第２電力消費装置の消費電力に相当する電力を放電しても前記発電装置の発電電力が前記放電用設定電力を下回らないことを条件として放電動作の指令を与え、
前記第１蓄電装置に対しては、前記第２蓄電装置が放電動作中であること、且つ、前記第１蓄電装置の蓄電量が第１設定下限値以下ではないこと、且つ、前記第１電力消費装置の消費電力が零ではないこと、且つ、前記第１蓄電装置が前記第１電力消費装置の消費電力に相当する電力を放電しても前記発電装置の発電電力が前記放電用設定電力を下回らないことを条件として放電動作の指令を与える電力供給システム。
【請求項２】
外部電力系統に接続される電力線と、前記電力線に発電電力を供給可能な発電装置と、前記電力線に対して各別に接続される複数の蓄電装置と、前記複数の蓄電装置の動作を制御する制御装置とを備え、前記外部電力系統と前記発電装置と前記蓄電装置との少なくとも何れか一台以上から供給される電力を複数の電力消費装置に供給可能な電力供給システムであって、
前記複数の蓄電装置の内の一つ又は二以上の第１蓄電装置には前記複数の電力消費装置の内の少なくとも一つの第１電力消費装置が接続され、
前記複数の蓄電装置の内の他の一つ又は二以上の第２蓄電装置には前記複数の電力消費装置の内の他の少なくとも一つの第２電力消費装置が接続され、
前記第１電力消費装置には、当該第１電力消費装置の消費電力を超えない範囲内で前記第１蓄電装置が放電する電力と、前記外部電力系統から前記電力線を介して供給される電力と、前記発電装置から前記電力線を介して供給される電力との少なくとも何れかが供給され、
前記第２電力消費装置には、当該第２電力消費装置の消費電力を超えない範囲内で前記第２蓄電装置が放電する電力と、前記外部電力系統から前記電力線を介して供給される電力と、前記発電装置から前記電力線を介して供給される電力との少なくとも何れかが供給され、
前記制御装置は、前記第１蓄電装置に対する充電動作の指令を前記第２蓄電装置に対する充電動作の指令よりも優先して与えようとする制御、及び、前記第２蓄電装置に対する放電動作の指令を前記第１蓄電装置に対する放電動作の指令よりも優先して与えようとする制御の少なくとも何れか一方を行い、
前記発電装置は、前記電力線で要求される負荷電力に追従して発生させる発電電力を前記電力線に供給し、
前記制御装置は、
前記複数の電力消費装置による合計消費電力が充電用設定電力より小さいとき、前記発電装置の発電電力が前記充電用設定電力より小さければ、前記複数の蓄電装置の少なくとも何れか１台に充電動作の指令を与えようとし、
前記複数の電力消費装置による前記合計消費電力が、前記充電用設定電力以上である放電用設定電力より大きいとき、前記発電装置の発電電力が前記放電用設定電力以上であれば、前記複数の蓄電装置の少なくとも何れか１台に放電動作の指令を与えようとし、
前記第１蓄電装置は、放電電力の大きさを前記第１電力消費装置の消費電力の大きさとは無関係に調整して放電動作を行うことができるように構成され、
前記第２蓄電装置は、放電電力の大きさを前記第２電力消費装置の消費電力の大きさとは無関係に調整して放電動作を行うことができるように構成され、
前記制御装置は、前記複数の蓄電装置の少なくとも何れか１台に放電動作の指令を与えようとするとき、
前記第２蓄電装置に対しては、前記第２蓄電装置の蓄電量が第２設定下限値以下ではないこと、且つ、前記第２電力消費装置の消費電力が零ではないことを条件として、前記発電装置の発電電力が前記放電用設定電力となるように前記第２電力消費装置の消費電力以下の範囲の放電電力での放電動作の指令を与え、
前記第１蓄電装置に対しては、前記第２蓄電装置の蓄電量が零である又は前記第２蓄電装置が放電動作中であること、且つ、前記第１蓄電装置の蓄電量が第１設定下限値以下ではないこと、且つ、前記第１電力消費装置の消費電力が零ではないことを条件として、前記発電装置の発電電力が前記放電用設定電力となるように前記第１電力消費装置の消費電力以下の範囲の放電電力での放電動作の指令を与える電力供給システム。
【請求項３】
前記制御装置は、前記複数の蓄電装置の少なくとも何れか１台に充電動作の指令を与えようとするとき、
前記第１蓄電装置に対しては、前記第１蓄電装置の蓄電量が第１設定上限値より小さいことを条件として充電動作の指令を与え、
前記第２蓄電装置に対しては、前記第１蓄電装置の蓄電量が前記第１設定上限値以上であり且つ前記第２蓄電装置の蓄電量が第２設定上限値より小さいことを条件として充電動作の指令を与える請求項１または２に記載の電力供給システム。
【発明の詳細な説明】
【技術分野】
【０００１】
本発明は、外部電力系統に接続される電力線と、電力線に発電電力を供給可能な発電装置と、電力線に対して各別に接続される複数の蓄電装置と、複数の蓄電装置の動作を制御する制御装置とを備え、外部電力系統と発電装置と蓄電装置との少なくとも何れか一台以上から供給される電力を複数の電力消費装置に供給可能な電力供給システムに関する。
【背景技術】
【０００２】
特許文献１には、外部電力系統に接続される電力線と、電力線に発電電力を供給可能な発電装置と、電力線に対して各別に接続される複数の蓄電装置と、複数の蓄電装置の動作を制御する制御装置とを備え、外部電力系統と発電装置と蓄電装置との少なくとも何れか一台以上から供給される電力を複数の電力消費装置に供給可能な電力供給システムが記載されている。具体的には、特許文献１に記載の電力供給システムでは、蓄電装置の動作モードを、満充電に達するまで充電させる充電モード、または放電が完了するまで放電させる放電モードのいずれかに決定し、放電モードに決定されている蓄電装置の放電が完了した場合にその蓄電装置を充電モードに決定し、充電モードに決定されている蓄電装置が満充電に達した場合にその蓄電装置を放電モードに決定することが行われている。
そして、複数の蓄電装置に蓄えられている電力は、複数の電力消費装置で共用される。
【先行技術文献】
【特許文献】
【０００３】
【特許文献１】特開２００６−２６２６１２号公報
【発明の概要】
【発明が解決しようとする課題】
【０００４】
複数の電力消費装置は、停電などの非常時にも点灯することが必要な照明装置や常時稼動させておくことが必要な情報機器などの重要負荷や、空調装置やそれほど重要度の高くない照明装置など、重要負荷の次に重要度の高い装置などに分類することができる。
しかし、特許文献１に記載の電力供給システムでは、複数の蓄電装置に蓄えられている電力が複数の電力消費装置で共用されるため、例えば非常時であっても全ての電力消費装置が区別無く電力を消費でき、重要負荷に対して優先的に電力供給が行われることはない。従って、非常時に重要負荷で利用可能な電力が相対的に小さくなるという問題がある。つまり、特許文献１に記載の電力供給システムは、重要負荷などの特定の電力消費装置が利用可能な電力を、他の電力消費装置が利用可能な電力よりも多く確保しておくことができないという点で課題がある。
【０００５】
本発明は、上記の課題に鑑みてなされたものであり、その目的は、特定の電力消費装置が利用可能な電力を、他の電力消費装置が利用可能な電力よりも多く確保しておくことができる電力供給システムを提供する点にある。
【課題を解決するための手段】
【０００６】
上記目的を達成するための本発明に係る電力供給システムの特徴構成は、外部電力系統に接続される電力線と、前記電力線に発電電力を供給可能な発電装置と、前記電力線に対して各別に接続される複数の蓄電装置と、前記複数の蓄電装置の動作を制御する制御装置とを備え、前記外部電力系統と前記発電装置と前記蓄電装置との少なくとも何れか一台以上から供給される電力を複数の電力消費装置に供給可能な電力供給システムであって、
前記複数の蓄電装置の内の一つ又は二以上の第１蓄電装置には前記複数の電力消費装置の内の少なくとも一つの第１電力消費装置が接続され、
前記複数の蓄電装置の内の他の一つ又は二以上の第２蓄電装置には前記複数の電力消費装置の内の他の少なくとも一つの第２電力消費装置が接続され、
前記第１電力消費装置には、当該第１電力消費装置の消費電力を超えない範囲内で前記第１蓄電装置が放電する電力と、前記外部電力系統から前記電力線を介して供給される電力と、前記発電装置から前記電力線を介して供給される電力との少なくとも何れかが供給され、
前記第２電力消費装置には、当該第２電力消費装置の消費電力を超えない範囲内で前記第２蓄電装置が放電する電力と、前記外部電力系統から前記電力線を介して供給される電力と、前記発電装置から前記電力線を介して供給される電力との少なくとも何れかが供給され、
前記制御装置は、前記第１蓄電装置に対する充電動作の指令を前記第２蓄電装置に対する充電動作の指令よりも優先して与えようとする制御、及び、前記第２蓄電装置に対する放電動作の指令を前記第１蓄電装置に対する放電動作の指令よりも優先して与えようとする制御の少なくとも何れか一方を行い、
前記発電装置は、前記電力線で要求される負荷電力に追従して発生させる発電電力を前記電力線に供給し、
前記制御装置は、前記複数の電力消費装置による合計消費電力が充電用設定電力より小さいとき、前記発電装置の発電電力が前記充電用設定電力より小さければ、前記複数の蓄電装置の少なくとも何れか１台に充電動作の指令を与えようとし、前記複数の電力消費装置による前記合計消費電力が、前記充電用設定電力以上である放電用設定電力より大きいとき、前記発電装置の発電電力が前記放電用設定電力以上であれば、前記複数の蓄電装置の少なくとも何れか１台に放電動作の指令を与えようとし、
前記第１蓄電装置は、放電動作の指令が与えられると前記第１電力消費装置の消費電力に相当する電力を放電するように構成され、前記第２蓄電装置は、放電動作の指令が与えられると前記第２電力消費装置の消費電力に相当する電力を放電するように構成され、前記制御装置は、前記複数の蓄電装置の少なくとも何れか１台に放電動作の指令を与えようとするとき、前記第２蓄電装置に対しては、前記第２蓄電装置の蓄電量が第２設定下限値以下ではないこと、且つ、前記第２電力消費装置の消費電力が零ではないこと、且つ、前記第２蓄電装置が前記第２電力消費装置の消費電力に相当する電力を放電しても前記発電装置の発電電力が前記放電用設定電力を下回らないことを条件として放電動作の指令を与え、前記第１蓄電装置に対しては、前記第２蓄電装置が放電動作中であること、且つ、前記第１蓄電装置の蓄電量が第１設定下限値以下ではないこと、且つ、前記第１電力消費装置の消費電力が零ではないこと、且つ、前記第１蓄電装置が前記第１電力消費装置の消費電力に相当する電力を放電しても前記発電装置の発電電力が前記放電用設定電力を下回らないことを条件として放電動作の指令を与える点にある。
【０００７】
上記特徴構成によれば、第１蓄電装置に蓄えられている電力は第１電力消費装置に対して選択的に供給され、第２蓄電装置に蓄えられている電力は第２電力消費装置に対して選択的に供給される。つまり、第１蓄電装置に蓄えられている電力は複数の電力消費装置で共用される電力ではなく、第１電力消費装置のみで利用できる電力であり、同様に、第２蓄電装置に蓄えられている電力は第２電力消費装置のみで利用できる電力である。その結果、例えば停電等の非常時であっても、第１電力消費装置が利用できる電力を第１蓄電装置によって確実に確保しておくことができ、第２電力消費装置が利用できる電力を第２蓄電装置によって確実に確保しておくことができる。
更に、制御装置が、第１蓄電装置に対する充電動作の指令を第２蓄電装置に対する充電動作の指令よりも優先して与えようとする制御を行う場合には、第１蓄電装置での蓄電量の増加が第２蓄電装置での蓄電量の増加よりも促進される。また、制御装置が、第２蓄電装置に対する放電動作の指令を第１蓄電装置に対する放電動作の指令よりも優先して与えようとする制御を行う場合には、第２蓄電装置での蓄電量の減少が第１蓄電装置での蓄電量の減少よりも促進される。従って、何れの制御が行われた場合も、第１蓄電装置には第２蓄電装置よりも相対的に多くの電力が蓄えられるようにできる。
従って、特定の電力消費装置が利用可能な電力を、他の電力消費装置が利用可能な電力よりも多く確保しておくことができる電力供給システムを提供できる。
【０００８】
発電装置の発電効率は、発電電力の大きさに応じて変化する。そのため、発電効率が高くなる運転状態で発電装置を動作させる。
本特徴構成において、電力線で要求される負荷電力の大きさは、複数の電力消費装置による合計消費電力と複数の蓄電装置による合計充電電力との和から、複数の蓄電装置による合計放電電力を減算した値となる。つまり、制御装置は、複数の蓄電装置を放電動作又は充電動作させることで或いは放電動作又は充電動作させないことで、電力線で要求される負荷電力の大きさを変化させることができる。また本特徴構成では、発電装置の発電電力は、電力線で要求される負荷電力に追従して変化するので、電力線で要求される負荷電力の大きさが変化すると、それに追従して発電装置の発電電力が変化する。従って、制御装置は、複数の蓄電装置に対して充電動作及び放電動作を指令できることで、間接的に発電装置の発電電力を変化させることができる。
特に、本特徴構成では、複数の電力消費装置による合計消費電力が充電用設定電力より小さく且つ発電装置の発電電力が充電用設定電力より小さければ、制御装置が複数の蓄電装置の少なくとも何れか１台に充電動作の指令を与えようとすることで、電力線で要求される負荷電力がより大きくなるように変化させ、その結果、発電装置の発電電力を充電用設定電力に近づけることができ且つその発電装置の発電電力を蓄電装置に蓄えることができる。同様に、複数の電力消費装置による合計消費電力が放電用設定電力より大きく且つ発電装置の発電電力が放電用設定電力以上であれば、複数の蓄電装置の少なくとも何れか１台に放電動作の指令を与えようとすることで、電力線で要求される負荷電力がより小さくなるように変化させ、その結果、発電装置の発電電力を放電用設定電力に近づける又は外部電力系統からの供給電力を減少させることができる。
【０００９】
そして制御装置は、複数の蓄電装置の少なくとも何れか１台に放電動作の指令を与えようとするとき、第２蓄電装置に対しては、第１蓄電装置の状態とは無関係に、第２蓄電装置の蓄電量が第２設定下限値以下（この第２設定下限値は、第２蓄電装置に要求される最低蓄電量を意味する）ではないこと、且つ、第２電力消費装置の消費電力が零ではないこと、且つ、第２蓄電装置が第２電力消費装置の消費電力に相当する電力を放電しても発電装置の発電電力が放電用設定電力を下回らないことを条件として放電動作させる。これに対して、第１蓄電装置に対しては、第２蓄電装置が放電動作中でなければ、仮に第１蓄電装置の蓄電量が第１設定下限値以下（この第１設定下限値は、第１蓄電装置に要求される最低蓄電量を意味する）ではないこと、且つ、第１電力消費装置の消費電力が零ではないこと、且つ、第１蓄電装置が第１電力消費装置の消費電力に相当する電力を放電しても発電装置の発電電力が放電用設定電力を下回らないという条件を満たしていたとしても放電動作させない。つまり、第２蓄電装置に放電動作の指令を与えるときには、第１蓄電装置の状態によって制約を受けないが、第１蓄電装置に放電動作の指令を与えるときには、第２蓄電装置の状態によって制約を受けることになる。その結果、複数の蓄電装置に対して放電動作の指令を与えようとするとき、第２蓄電装置には第１蓄電装置よりも優先して放電動作の指令が与えられるようになる。従って、第２蓄電装置の蓄電量は、第１蓄電装置の蓄電量よりも優先して減少するようになり、結果として第１蓄電装置の蓄電量を相対的に多く残すことができる。
【００１０】
上記目的を達成するための本発明に係る電力供給システムの特徴構成は、外部電力系統に接続される電力線と、前記電力線に発電電力を供給可能な発電装置と、前記電力線に対して各別に接続される複数の蓄電装置と、前記複数の蓄電装置の動作を制御する制御装置とを備え、前記外部電力系統と前記発電装置と前記蓄電装置との少なくとも何れか一台以上から供給される電力を複数の電力消費装置に供給可能な電力供給システムであって、
前記複数の蓄電装置の内の一つ又は二以上の第１蓄電装置には前記複数の電力消費装置の内の少なくとも一つの第１電力消費装置が接続され、  
前記複数の蓄電装置の内の他の一つ又は二以上の第２蓄電装置には前記複数の電力消費装置の内の他の少なくとも一つの第２電力消費装置が接続され、
前記第１電力消費装置には、当該第１電力消費装置の消費電力を超えない範囲内で前記第１蓄電装置が放電する電力と、前記外部電力系統から前記電力線を介して供給される電力と、前記発電装置から前記電力線を介して供給される電力との少なくとも何れかが供給され、
前記第２電力消費装置には、当該第２電力消費装置の消費電力を超えない範囲内で前記第２蓄電装置が放電する電力と、前記外部電力系統から前記電力線を介して供給される電力と、前記発電装置から前記電力線を介して供給される電力との少なくとも何れかが供給され、
前記制御装置は、前記第１蓄電装置に対する充電動作の指令を前記第２蓄電装置に対する充電動作の指令よりも優先して与えようとする制御、及び、前記第２蓄電装置に対する放電動作の指令を前記第１蓄電装置に対する放電動作の指令よりも優先して与えようとする制御の少なくとも何れか一方を行い、
前記発電装置は、前記電力線で要求される負荷電力に追従して発生させる発電電力を前記電力線に供給し、
前記制御装置は、前記複数の電力消費装置による合計消費電力が充電用設定電力より小さいとき、前記発電装置の発電電力が前記充電用設定電力より小さければ、前記複数の蓄電装置の少なくとも何れか１台に充電動作の指令を与えようとし、前記複数の電力消費装置による前記合計消費電力が、前記充電用設定電力以上である放電用設定電力より大きいとき、前記発電装置の発電電力が前記放電用設定電力以上であれば、前記複数の蓄電装置の少なくとも何れか１台に放電動作の指令を与えようとし、
前記第１蓄電装置は、放電電力の大きさを前記第１電力消費装置の消費電力の大きさとは無関係に調整して放電動作を行うことができるように構成され、前記第２蓄電装置は、放電電力の大きさを前記第２電力消費装置の消費電力の大きさとは無関係に調整して放電動作を行うことができるように構成され、前記制御装置は、前記複数の蓄電装置の少なくとも何れか１台に放電動作の指令を与えようとするとき、前記第２蓄電装置に対しては、前記第２蓄電装置の蓄電量が第２設定下限値以下ではないこと、且つ、前記第２電力消費装置の消費電力が零ではないことを条件として、前記発電装置の発電電力が前記放電用設定電力となるように前記第２電力消費装置の消費電力以下の範囲の放電電力での放電動作の指令を与え、前記第１蓄電装置に対しては、前記第２蓄電装置の蓄電量が零である又は前記第２蓄電装置が放電動作中であること、且つ、前記第１蓄電装置の蓄電量が第１設定下限値以下ではないこと、且つ、前記第１電力消費装置の消費電力が零ではないことを条件として、前記発電装置の発電電力が前記放電用設定電力となるように前記第１電力消費装置の消費電力以下の範囲の放電電力での放電動作の指令を与える点にある。
【００１１】
上記特徴構成によれば、第１蓄電装置に蓄えられている電力は第１電力消費装置に対して選択的に供給され、第２蓄電装置に蓄えられている電力は第２電力消費装置に対して選択的に供給される。つまり、第１蓄電装置に蓄えられている電力は複数の電力消費装置で共用される電力ではなく、第１電力消費装置のみで利用できる電力であり、同様に、第２蓄電装置に蓄えられている電力は第２電力消費装置のみで利用できる電力である。その結果、例えば停電等の非常時であっても、第１電力消費装置が利用できる電力を第１蓄電装置によって確実に確保しておくことができ、第２電力消費装置が利用できる電力を第２蓄電装置によって確実に確保しておくことができる。
更に、制御装置が、第１蓄電装置に対する充電動作の指令を第２蓄電装置に対する充電動作の指令よりも優先して与えようとする制御を行う場合には、第１蓄電装置での蓄電量の増加が第２蓄電装置での蓄電量の増加よりも促進される。また、制御装置が、第２蓄電装置に対する放電動作の指令を第１蓄電装置に対する放電動作の指令よりも優先して与えようとする制御を行う場合には、第２蓄電装置での蓄電量の減少が第１蓄電装置での蓄電量の減少よりも促進される。従って、何れの制御が行われた場合も、第１蓄電装置には第２蓄電装置よりも相対的に多くの電力が蓄えられるようにできる。
従って、特定の電力消費装置が利用可能な電力を、他の電力消費装置が利用可能な電力よりも多く確保しておくことができる電力供給システムを提供できる。
【００１２】
発電装置の発電効率は、発電電力の大きさに応じて変化する。そのため、発電効率が高くなる運転状態で発電装置を動作させる。
本特徴構成において、電力線で要求される負荷電力の大きさは、複数の電力消費装置による合計消費電力と複数の蓄電装置による合計充電電力との和から、複数の蓄電装置による合計放電電力を減算した値となる。つまり、制御装置は、複数の蓄電装置を放電動作又は充電動作させることで或いは放電動作又は充電動作させないことで、電力線で要求される負荷電力の大きさを変化させることができる。また本特徴構成では、発電装置の発電電力は、電力線で要求される負荷電力に追従して変化するので、電力線で要求される負荷電力の大きさが変化すると、それに追従して発電装置の発電電力が変化する。従って、制御装置は、複数の蓄電装置に対して充電動作及び放電動作を指令できることで、間接的に発電装置の発電電力を変化させることができる。
特に、本特徴構成では、複数の電力消費装置による合計消費電力が充電用設定電力より小さく且つ発電装置の発電電力が充電用設定電力より小さければ、制御装置が複数の蓄電装置の少なくとも何れか１台に充電動作の指令を与えようとすることで、電力線で要求される負荷電力がより大きくなるように変化させ、その結果、発電装置の発電電力を充電用設定電力に近づけることができ且つその発電装置の発電電力を蓄電装置に蓄えることができる。同様に、複数の電力消費装置による合計消費電力が放電用設定電力より大きく且つ発電装置の発電電力が放電用設定電力以上であれば、複数の蓄電装置の少なくとも何れか１台に放電動作の指令を与えようとすることで、電力線で要求される負荷電力がより小さくなるように変化させ、その結果、発電装置の発電電力を放電用設定電力に近づける又は外部電力系統からの供給電力を減少させることができる。
【００１３】
そして、制御装置は、複数の蓄電装置の少なくとも何れか１台に放電動作の指令を与えようとするとき、第２蓄電装置に対しては、第１蓄電装置の状態とは無関係に、第２蓄電装置の蓄電量が第２設定下限値以下ではないこと、且つ、第２電力消費装置の消費電力が零ではないことを条件として放電動作させる。これに対して、第１蓄電装置に対しては、第２蓄電装置の蓄電量が零である又は第２蓄電装置が放電動作中でなければ、仮に第１蓄電装置の蓄電量が第１設定下限値以下ではないこと、且つ、第１電力消費装置の消費電力が零ではないことという条件を満たしていたとしても放電動作させない。つまり、第２蓄電装置に放電動作の指令を与えるときには、第１蓄電装置の状態によって制約を受けないが、第１蓄電装置に放電動作の指令を与えるときには、第２蓄電装置の状態によって制約を受けることになる。その結果、複数の蓄電装置に対して放電動作の指令を与えようとするとき、第２蓄電装置には第１蓄電装置よりも優先して放電動作の指令が与えられるようになる。従って、第２蓄電装置の蓄電量は、第１蓄電装置の蓄電量よりも優先して減少するようになり、結果として第１蓄電装置の蓄電量を相対的に多く残すことができる。
【００１４】
本発明に係る電力供給システムの別の特徴構成は、前記制御装置は、前記複数の蓄電装置の少なくとも何れか１台に充電動作の指令を与えようとするとき、前記第１蓄電装置に対しては、前記第１蓄電装置の蓄電量が第１設定上限値より小さいことを条件として充電動作の指令を与え、前記第２蓄電装置に対しては、前記第１蓄電装置の蓄電量が前記第１設定上限値以上であり且つ前記第２蓄電装置の蓄電量が第２設定上限値より小さいことを条件として充電動作の指令を与える点にある。
【００１５】
上記特徴構成によれば、制御装置は、複数の蓄電装置の少なくとも何れか１台に充電動作を指令するとき、第１蓄電装置に対しては、第２蓄電装置の蓄電量とは無関係に、その第１蓄電装置の蓄電量を第１設定上限値以上にさせるために充電動作させる。これに対して、第２蓄電装置に対しては、第１蓄電装置の蓄電量が第１設定上限値以上になっていなければ充電動作させない。つまり、第１蓄電装置に充電動作の指令を与えるときには、第２蓄電装置の蓄電量の多少によって制約を受けないが、第２蓄電装置に充電動作の指令を与えるときには、第１蓄電装置の蓄電量の多少によって制約を受けることになる。その結果、複数の蓄電装置に対して充電動作の指令を与えようとするとき、第１蓄電装置には第２蓄電装置よりも優先して充電動作の指令が与えられるようになる。従って、第１蓄電装置の蓄電量を第１設定上限値以上に至らせることが優先して行われるようにできる。
【図面の簡単な説明】
【００１６】
【図１】電力供給システムの構成を説明する図である。
【図２】第１実施形態での蓄電装置の動作を説明するフローチャートである。
【図３】第１実施形態での蓄電装置の動作を説明するフローチャートである。
【図４】第１実施形態での電力消費装置の消費電力と蓄電装置の充放電動作と燃料電池の発電電力との関係を説明する図である。
【図５】第２実施形態での蓄電装置の動作を説明するフローチャートである。
【図６】第２実施形態での蓄電装置の動作を説明するフローチャートである。
【図７】第２実施形態での電力消費装置の消費電力と蓄電装置の充放電動作と燃料電池の発電電力との関係を説明する図である。
【発明を実施するための形態】
【００１７】
＜第１実施形態＞
以下に図面を参照して第１実施形態の電力供給システムの構成について説明する。
図１は、電力供給システムの構成を説明する図である。図１に示すように、電力供給システムは、外部電力系統１に接続される電力線２と、電力線２に発電電力を供給可能な発電装置としての燃料電池３と、電力線２に対して各別に接続される複数の蓄電装置５と、複数の蓄電装置５の動作を制御する制御装置Ｃとを備える。複数の電力消費装置４には、外部電力系統１と燃料電池３と蓄電装置５との少なくとも何れか一台以上から供給される電力を供給可能である。
【００１８】
電力線２の分岐部位１０よりも下流側（即ち、分岐部位１０よりも外部電力系統１から離れた側）に、複数の電力消費装置４が接続されている。本実施形態では、分岐部位１０よりも下流側に第１電力線２Ａと第２電力線２Ｂと第３電力線２Ｃとが並列で接続され、第１電力線２Ａには第１電力消費装置４Ａが接続され、第２電力線２Ｂには第２電力消費装置４Ｂが接続され、第３電力線２Ｃには第３電力消費装置４Ｃが接続されている。
【００１９】
第１電力消費装置４Ａは、複数の電力消費装置４の中で、例えば停電などの非常時にも点灯することが必要な照明装置や常時稼動させておくことが必要な情報機器など、重要度の高い装置を含んでいる。第１電力消費装置４Ａの消費電力は、第１電力線２Ａに設けられる第１電力計測手段６を用いて計測可能である。第１電力計測手段６による計測結果は制御装置Ｃへ伝達される。
第２電力消費装置４Ｂは、例えば空調装置やそれほど重要度の高くない照明装置など、第１電力消費装置４Ａの次に重要度の高い装置を含んでいる。第２電力消費装置４Ｂの消費電力は、第２電力線２Ｂに設けられる第２電力計測手段７を用いて計測可能である。第２電力計測手段７による計測結果は制御装置Ｃへ伝達される。
第３電力消費装置４Ｃは、第１電力消費装置４Ａ及び第２電力消費装置４Ｂに含まれない他の装置を含んでいる。第３電力消費装置４Ｃの消費電力は、第３電力線２Ｃに設けられる第３電力計測手段８を用いて計測可能である。
【００２０】
第１電力線２Ａにおいて、第１電力計測手段６が設けられている部位よりも上流側には、第１蓄電装置５Ａが設けられている。つまり、複数の蓄電装置５の内の一つの第１蓄電装置５Ａには複数の電力消費装置４の内の少なくとも一つの第１電力消費装置４Ａが接続されている。制御装置Ｃは、後述するように、第１蓄電装置５Ａの充電動作及び放電動作及び充放電動作の停止を指令する。
第２電力線２Ｂにおいて、第２電力計測手段７が設けられている部位よりも上流側には、第２蓄電装置５Ｂが設けられている。つまり、複数の蓄電装置５の内の他の一つの第２蓄電装置５Ｂには複数の電力消費装置４の内の他の少なくとも一つの第２電力消費装置４Ｂが接続されている。制御装置Ｃは、後述するように第２蓄電装置５Ｂの充電動作及び放電動作及び充放電動作の停止を指令する。
制御装置Ｃは、燃料電池３の発電電力に関する情報、蓄電装置５の蓄電量に関する情報の伝達を受けるように構成されている。
【００２１】
発電装置としての燃料電池３は、電力線２で要求される負荷電力に追従して発生させる発電電力を電力線２に供給する。電力線２で要求される負荷電力の大きさは、第４電力計測手段９によって計測可能である。第４電力計測手段９による計測結果は燃料電池３に伝達され、燃料電池３は、その計測結果を参照して自身の発電電力を調整する。この第４電力計測手段９で計測される負荷電力は、複数の電力消費装置４による合計消費電力と複数の蓄電装置５による合計充電電力との和から、複数の蓄電装置５による合計放電電力を減算した値となる。上述したように、制御装置Ｃが、複数の蓄電装置５を放電動作又は充電動作させることで或いは放電動作又は充電動作させないことで、電力線２で要求される負荷電力の大きさを変化させることができる。燃料電池３の発電電力は、電力線２で要求される負荷電力に追従して変化するので、電力線２で要求される負荷電力の大きさが変化すると、それに追従して燃料電池３の発電電力が変化する。従って、制御装置Ｃは、複数の蓄電装置５に対して充電動作及び放電動作を指令することで、間接的に燃料電池３の発電電力を変化させることができる。
【００２２】
本実施形態では、第１蓄電装置５Ａの放電電力は第１電力消費装置４Ａにのみ供給される。つまり、第１電力消費装置４Ａには、第１電力消費装置４Ａの消費電力を超えない範囲内で第１蓄電装置５Ａが放電する電力と、外部電力系統１から電力線２を介して供給される電力と、燃料電池３から電力線２を介して供給される電力との少なくとも何れかが供給される。
第２蓄電装置５Ｂの放電電力は第２電力消費装置４Ｂにのみ供給される。つまり、第２電力消費装置４Ｂには、第２電力消費装置４Ｂの消費電力を超えない範囲内で第２蓄電装置５Ｂが放電する電力と、外部電力系統１から電力線２を介して供給される電力と、燃料電池３から電力線２を介して供給される電力との少なくとも何れかが供給される。
【００２３】
以下に説明するように、制御装置Ｃは、複数の電力消費装置４による合計消費電力が充電用設定電力より小さいとき、燃料電池３の発電電力が充電用設定電力より小さければ、複数の蓄電装置５の少なくとも何れか１台に充電動作の指令を与えようとし、複数の電力消費装置４による合計消費電力が、上記充電用設定電力以上である放電用設定電力より大きいとき、燃料電池３の発電電力が放電用設定電力以上であれば、複数の蓄電装置５の少なくとも何れか１台に放電動作の指令を与えようとするように構成されている。但し、以下の説明では、充電用設定電力と放電用設定電力とが同じ値である場合について例示し、その値を単に「設定電力」として記載する。
【００２４】
また、本実施形態では、制御装置Ｃは、第１蓄電装置５Ａに放電動作を行わせること及び第２蓄電装置５Ｂに放電動作を行わせることが可能であるが、第１蓄電装置５Ａによる放電電力及び第２蓄電装置５Ｂによる放電電力を制御することはできない。例えば、制御装置Ｃが第１蓄電装置５Ａに放電動作を行わせると、第１蓄電装置５Ａは第１電力消費装置４Ａの消費電力に相当する電力の一部のみを放電するのではなく、第１蓄電装置５Ａは第１電力消費装置４Ａの消費電力に相当する電力の全てを放電する。つまり、蓄電装置５に放電動作を行わせると、燃料電池３の発電電力が設定電力を下回る可能性がある。従って、本実施形態では、制御装置Ｃは、蓄電装置５を放電動作させると燃料電池３の発電電力が設定電力を下回る場合には、蓄電装置５を放電動作させないように構成されている。
更に、制御装置Ｃは、第２蓄電装置５Ｂを放電動作させている場合にのみ第１蓄電装置５Ａを放電動作させるように構成されている。つまり、第１蓄電装置５Ａが放電動作を極力行わないようにして、第１蓄電装置５Ａの蓄電量を多く維持するようにしている。
【００２５】
次に、図２及び図３を参照して、どのようなタイミングで各蓄電装置５を充電動作させるのか及び放電動作させるのかについて説明する。図２及び図３は、制御装置Ｃが蓄電装置５に対して行う動作制御を説明するフローチャートである。
【００２６】
以下に詳細に説明するが、本実施形態において、制御装置Ｃは、第１蓄電装置５Ａに対する充電動作の指令を第２蓄電装置５Ｂに対する充電動作の指令よりも優先して与えようとする制御、及び、第２蓄電装置５Ｂに対する放電動作の指令を第１蓄電装置５Ａに対する放電動作の指令よりも優先して与えようとする制御を共に行う。
【００２７】
図２の工程＃１００において制御装置Ｃは、複数の電力消費装置４による消費電力の合計が設定電力よりも小さいか否かを判定する。本実施形態では、複数の電力消費装置４による消費電力の合計は、第１電力計測手段６及び第２電力計測手段７及び第３電力計測手段８のそれぞれにより計測される消費電力の合計である。本実施形態では、燃料電池３の定格発電電力を上記「設定電力」としている。つまり、消費電力の合計が設定電力よりも小さい場合、即ち、燃料電池３の定格発電電力よりも小さい場合、各蓄電装置５の充放電がなければ、複数の電力消費装置４での合計消費電力を賄うために燃料電池３を定格発電電力未満で動作させる必要がある。そして、制御装置Ｃは、複数の電力消費装置４による消費電力の合計が設定電力よりも小さい場合（工程＃１００において「Ｙｅｓ」の場合）には工程＃１０２に移行し、設定電力以上である場合（工程＃１００において「Ｎｏ」の場合）には工程＃１１６に移行する。
以下に、図２に示す工程＃１０２から工程＃１１４を参照して各蓄電装置５の充電動作について説明し、図３に示す工程＃１１６から工程＃１３２を参照して各蓄電装置５の放電動作について説明する。
【００２８】
〔充電動作〕
図２の工程＃１０２において制御装置Ｃは、燃料電池３の発電電力が設定電力よりも小さいか否かを判定する。更に、工程＃１１２において制御装置Ｃは、燃料電池３の発電電力が設定電力より大きいか否かを判定する。つまり、これら工程＃１０２及び工程＃１１２では、燃料電池３が設定電力よりも小さい発電電力で運転している場合（後述する工程＃１０４へ移行）、燃料電池３が設定電力よりも大きい発電電力で動作している場合（後述する工程＃１１４へ移行）、燃料電池３が設定電力に等しい発電電力で動作している場合、の何れであるかを判定していることになる。以下、それぞれの場合について説明する。
【００２９】
本実施形態において、上記「設定電力」は、燃料電池３の定格発電電力に等しく設定される。そのため、燃料電池３が設定電力（即ち、定格発電電力）に等しい発電電力で動作していれば、燃料電池３の発電効率は高くなるという利点がある。そこで、制御装置Ｃは、設定電力に等しい発電電力で燃料電池３を動作させようとする制御を行う。
【００３０】
制御装置Ｃは、燃料電池３が設定電力よりも小さい発電電力で運転していると工程＃１０２において判定した場合、工程＃１０４へ移行する。ここで、燃料電池３の発電電力を設定電力に近づけるためには、即ち、燃料電池３の発電電力を増大させて設定電力に近づけるためには、電力線２で要求される負荷電力を増大させる必要がある。そこで、制御装置Ｃは、複数の蓄電装置５の少なくとも何れか１台に充電動作を指令して、電力線２で要求される負荷電力を増大させる。
つまり、制御装置Ｃは、複数の電力消費装置４による合計消費電力が設定電力より小さく且つ燃料電池３の発電電力が設定電力より小さければ、複数の蓄電装置５の少なくとも何れか１台に充電動作を指令する。
【００３１】
そして、工程＃１０４において制御装置Ｃは、第１蓄電装置５Ａの蓄電量は第１設定上限値以上であるか否か、即ち、第１蓄電装置５Ａは充電動作できる余裕があるか否かを判定する。例えば、この第１設定上限値は、第１蓄電装置５Ａの満充電のレベルに設定することができる。制御装置Ｃは、第１蓄電装置５Ａの蓄電量が第１設定上限値以上になっていない場合、即ち、第１蓄電装置５Ａの蓄電量が第１設定上限値よりも小さいために更に充電動作できる余裕がある場合、工程＃１０６に移行して第１蓄電装置５Ａを充電動作させる。但し、制御装置Ｃは、第１蓄電装置５Ａの蓄電量が第１設定上限値に達すると（例えば第１蓄電装置５Ａが満充電状態になると）充電動作を停止させる。
【００３２】
制御装置Ｃは、工程＃１０４において第１蓄電装置５Ａの蓄電量が第１設定上限値以上になっていると判定した場合、次に工程＃１０８に移行して第２蓄電装置５Ｂの蓄電量が第２設定上限値以上であるか否か、即ち、第２蓄電装置５Ｂは充電動作できる余裕があるか否かを判定する。例えば、この第２設定上限値は、第２蓄電装置５Ｂの満充電のレベルに設定することができる。そして、制御装置Ｃは、第２蓄電装置５Ｂの蓄電量が第２設定上限値以上になっていない場合、即ち、第２蓄電装置５Ｂの蓄電量が第２設定上限値より小さいために更に充電動作できる余裕がある場合、工程＃１１０に移行して第２蓄電装置５Ｂを充電動作させる。但し、制御装置Ｃは、第２蓄電装置５Ｂの蓄電量が第２設定上限値に達すると（例えば、第２蓄電装置５Ｂが満充電状態になると）充電動作を停止させる。
以上のように、工程＃１０６及び工程＃１１０において、燃料電池３の発電電力を第１蓄電装置５Ａ及び第２蓄電装置５Ｂを用いて充電できる。即ち、燃料電池３の余剰電力を第１蓄電装置５Ａ及び第２蓄電装置５Ｂで充電できる。
【００３３】
制御装置Ｃは、燃料電池３が設定電力よりも大きい発電電力で運転していると工程＃１１２において判定した場合、即ち、複数の蓄電装置５での充電電力が過剰である場合、工程＃１１４へ移行する。そして、工程＃１１４において制御装置Ｃは、充電動作中の蓄電装置５の充電動作を停止させる。
【００３４】
制御装置Ｃは、燃料電池３の発電電力が設定電力であると工程＃１１２において判定した場合、及び、第２蓄電装置５Ｂの蓄電量が第２設定上限値であると工程＃１０８において判定した場合、各蓄電装置５の動作状態をそのまま維持する。
【００３５】
以上のように、制御装置Ｃは、複数の電力消費装置４による合計消費電力が設定電力より小さいとき、燃料電池３の発電電力が設定電力より小さければ、複数の蓄電装置５の少なくとも何れか１台に充電動作の指令を与えようとしている。つまり、燃料電池３に由来する電力を蓄電装置５に蓄えようとしている。そして、制御装置Ｃは、複数の蓄電装置５の少なくとも何れか１台に充電動作の指令を与えようとするとき、第１蓄電装置５Ａに対しては、第１蓄電装置５Ａの蓄電量が第１設定上限値より小さいことを条件として充電動作の指令を与え、第２蓄電装置５Ｂに対しては、第１蓄電装置５Ａの蓄電量が第１設定上限値以上であり且つ第２蓄電装置５Ｂの蓄電量が第２設定上限値より小さいことを条件として充電動作の指令を与えている。つまり、第１蓄電装置５Ａに充電動作の指令を与えるときには、第２蓄電装置５Ｂの蓄電量の多少によって制約を受けないが、第２蓄電装置５Ｂに充電動作の指令を与えるときには、第１蓄電装置５Ａの蓄電量の多少によって制約を受けることになる。その結果、複数の蓄電装置５に対して充電動作の指令を与えようとするとき、第１蓄電装置５Ａには第２蓄電装置５Ｂよりも優先して充電動作の指令が与えられるようになる。従って、第１蓄電装置５Ａの蓄電量を第１設定上限値以上に至らせることが優先して行われるようにできる。
【００３６】
〔放電動作〕
制御装置Ｃは、図２に示す工程＃１００において複数の電力消費装置４による消費電力の合計が設定電力以上であると判定した場合、図３に示す工程＃１１６に移行して燃料電池３の発電電力が設定電力よりも小さいか否かを判定する。ここで、仮に燃料電池３の発電電力が設定電力であるとした場合、複数の電力消費装置４による消費電力の合計が設定電力よりも大きくなるにつれて、外部電力系統１からの受電電力（即ち、燃料電池３の発電電力と複数の電力消費装置４による消費電力の合計との差に相当する電力）も大きくなる。従って、複数の電力消費装置４による消費電力の合計が設定電力以上であり且つ燃料電池３が設定電力以上の発電電力で運転している場合、制御装置Ｃは、図３に示す工程＃１１６から工程＃１３２において、燃料電池３の発電電力を減少させるという対策、又は、外部電力系統１からの受電電力を減少させるという対策の何れかを実施する必要がある。
【００３７】
制御装置Ｃは、燃料電池３が設定電力以上の発電電力で運転していると工程＃１１６において判定した場合、工程＃１１８へ移行する。そして、制御装置Ｃは、工程＃１２０〜工程＃１３２の各工程において蓄電装置５を放電動作させることで、燃料電池３の発電電力を減少させる、又は、外部電力系統１からの受電電力を減少させる。
【００３８】
具体的には、工程＃１１８において制御装置Ｃは、第２蓄電装置５Ｂの蓄電量は第２設定下限値以下であるか否か、即ち、第２蓄電装置５Ｂに蓄えている電力を放電動作可能であるか否かを判定する。例えば、この第２設定下限値は、第２蓄電装置５Ｂの蓄電量が零となるレベル或いは零よりも大きい他のレベルに設定することができる。制御装置Ｃは、第２蓄電装置５Ｂの蓄電量が第２設定下限値より大きいと工程＃１１８において判定した場合、即ち、第２蓄電装置５Ｂが放電動作可能である場合、工程＃１２０に移行して第２蓄電装置５Ｂが放電動作中であるか否かを更に判定する。
これに対して、制御装置Ｃは、第２蓄電装置５Ｂの蓄電量が第２設定下限値以下であると工程＃１１８において判定した場合、即ち、第２蓄電装置５Ｂが放電動作できないと判定した場合、第２蓄電装置５Ｂを放電動作させることなくフローチャートの最初へリターンする。更に、本実施形態では、第２蓄電装置５Ｂが放電動作を行っているときにのみ第１蓄電装置５Ａを放電動作させることとしているため、制御装置Ｃは、第２蓄電装置５Ｂを放電動作させない場合には第１蓄電装置５Ａを放電動作させることもない。
【００３９】
次に、制御装置Ｃは、工程＃１２０において第２蓄電装置５Ｂが放電動作中ではないと判定した場合、工程＃１２２に移行して、第２電力消費装置４Ｂの消費電力が零ではなく、且つ、第２蓄電装置５Ｂが放電しても燃料電池３の発電電力が設定電力を下回らないか否かを判定する。第２電力消費装置４Ｂの消費電力が零であれば、制御装置Ｃは、第２蓄電装置５Ｂを放電動作させる必要はない。また、第２蓄電装置５Ｂが放電動作すると燃料電池３の発電電力が設定電力を下回るのであれば、制御装置Ｃは、第２蓄電装置５Ｂを放電動作させない。従って、制御装置Ｃは、第２電力消費装置４Ｂの消費電力が零ではなく、且つ、第２蓄電装置５Ｂが放電しても燃料電池３の発電電力が設定電力を下回らない場合にのみ、工程＃１２４に移行する。
【００４０】
そして、工程＃１２４において制御装置Ｃは、第２蓄電装置５Ｂを上限放電電力（即ち、第２電力消費装置４Ｂの消費電力）以下の範囲で放電動作させる。但し、本実施形態では、制御装置Ｃは、第２蓄電装置５Ｂの放電電力を制御できないため、実質的に、第２蓄電装置５Ｂの放電電力は第２電力消費装置４Ｂの消費電力に等しくなる。但し、制御装置Ｃは、第２蓄電装置５Ｂの蓄電量が第２設定下限値になった場合、又は、第２電力消費装置４Ｂの消費電力が零になった場合、又は、第２蓄電装置５Ｂを放電動作させると燃料電池３の発電電力が設定電力を下回ることとなった場合には、第２蓄電装置５Ｂの放電動作を停止させる。
【００４１】
制御装置Ｃは、工程＃１２０において第２蓄電装置５Ｂが放電動作中であると判定した場合、工程＃１２６に移行して第１蓄電装置５Ａの蓄電量は第１設定下限値以下になっているか否か、即ち、第１蓄電装置５Ａに蓄えている電力を放電動作可能であるか否かを判定する。そして、制御装置Ｃは、第１蓄電装置５Ａの蓄電量が第１設定下限値より大きい場合、即ち、第１蓄電装置５Ａが放電動作可能である場合、工程＃１２８に移行して、第１蓄電装置５Ａを放電動作させておらず、且つ、第１電力消費装置４Ａの消費電力が零ではなく、且つ、第１蓄電装置５Ａが放電しても燃料電池３の発電電力が設定電力を下回らない場合にのみ、工程＃１３０に移行する。
【００４２】
そして、工程＃１３０において制御装置Ｃは、第１蓄電装置５Ａを上限放電電力（即ち、第１電力消費装置４Ａの消費電力）以下の範囲で放電動作させる。但し、本実施形態では、制御装置Ｃは、第１蓄電装置５Ａの放電電力を制御できないため、実質的に、第１蓄電装置５Ａの放電電力は第２電力消費装置４Ｂの消費電力に等しくなる。但し、制御装置Ｃは、第１蓄電装置５Ａの蓄電量が第１設定下限値になった場合、又は、第１電力消費装置４Ａの消費電力が零になった場合、又は、第１蓄電装置５Ａを放電動作させると燃料電池３の発電電力が設定電力を下回ることとなった場合には、第１蓄電装置５Ａの放電動作を停止させる。
【００４３】
制御装置Ｃは、燃料電池３が設定電力より小さい発電電力で運転していると工程＃１１６において判定した場合、工程＃１３２へ移行する。つまり、消費電力の合計が設定電力以上であるにも関わらず燃料電池３が設定電力より小さい発電電力で運転しているのは、何れかの蓄電装置５の放電電力が過剰であるからである。従って、工程＃１３２において制御装置Ｃは、燃料電池３の発電電力が設定電力以上となるように、放電動作中の蓄電装置５の放電動作を停止させる。尚、制御装置Ｃは、第１蓄電装置５Ａ及び第２蓄電装置５Ｂの両方が放電動作中である場合、第１蓄電装置５Ａの放電動作の停止を優先して行わせる。
【００４４】
以上のように、制御装置Ｃは、複数の電力消費装置４による合計消費電力が設定電力より大きいとき、燃料電池３の発電電力が設定電力以上であれば、複数の蓄電装置５の少なくとも何れか１台に放電動作の指令を与えようとしている。そして、制御装置Ｃは、複数の蓄電装置５の少なくとも何れか１台に放電動作の指令を与えようとするとき、第２蓄電装置５Ｂに対しては、第２蓄電装置５Ｂの蓄電量が第２設定下限値以下ではないこと、且つ、第２電力消費装置４Ｂの消費電力が零ではないこと、且つ、第２蓄電装置５Ｂが第２電力消費装置４Ｂの消費電力に相当する電力を放電しても燃料電池３の発電電力が設定電力（放電用設定電力）を下回らないことを条件として放電動作の指令を与え、第１蓄電装置５Ａに対しては、第２蓄電装置５Ｂが放電動作中であること、且つ、第１蓄電装置５Ａの蓄電量が第１設定下限値以下ではないこと、且つ、第１電力消費装置４Ａの消費電力が零ではないこと、且つ、第１蓄電装置５Ａが第１電力消費装置４Ａの消費電力に相当する電力を放電しても燃料電池３の発電電力が設定電力（放電用設定電力）を下回らないことを条件として放電動作の指令を与えている。つまり、第２蓄電装置５Ｂに放電動作の指令を与えるときには、第１蓄電装置５Ａの状態によって制約を受けないが、第１蓄電装置５Ａに放電動作の指令を与えるときには、第２蓄電装置５Ｂの状態によって制約を受けることになる。その結果、複数の蓄電装置５に対して放電動作の指令を与えようとするとき、第２蓄電装置５Ｂには第１蓄電装置５Ａよりも優先して放電動作の指令が与えられるようになる。従って、第２蓄電装置５Ｂの蓄電量は、第１蓄電装置５Ａの蓄電量よりも優先して減少するようになり、結果として第１蓄電装置５Ａの蓄電量を相対的に多く残すことができる。
【００４５】
次に図４を参照して第１実施形態の電力供給システムの動作の一例について説明する。図４は、電力消費装置４の消費電力と蓄電装置５の充放電動作と燃料電池３の発電電力との関係を説明する図である。この例では、上記設定電力を７００Ｗとしている。この７００Ｗという値は燃料電池３の定格発電電力である。
尚、図４中に破線で示すのは、蓄電装置を全く設けていない場合に燃料電池３の発電電力がどのように変化するのかを示す比較例である。
【００４６】
以下、先ず本願の構成である蓄電装置を電力消費装置別に設けている例について説明する。
時刻０時から時刻６時までの間、電力消費装置４による合計消費電力は約２００Ｗであり、設定電力（７００Ｗ）より小さい状態である。そのため、制御装置Ｃは、先ず第１蓄電装置５Ａを充電動作させ（工程＃１０６）、第１蓄電装置５Ａの蓄電量が第１設定上限値になった後で第２蓄電装置５Ｂを充電動作させる（工程＃１１０）。
このように、第１蓄電装置５Ａ及び第２蓄電装置５Ｂを充電動作させることで、電力線２で要求される負荷電力を増大させることができるので、燃料電池３の発電電力を高く維持することができる。これに対して、蓄電装置を設けていない場合には、電力線２で要求される負荷電力を増大させることができないので、図４中に破線で示すように燃料電池３は低い発電電力（即ち、低い発電効率）で運転せざるを得なくなる。
【００４７】
時刻６時から時刻７時までの間、電力消費装置４による合計消費電力は７００Ｗより大きい状態である。そのため、制御装置Ｃは、第２蓄電装置５Ｂを放電動作させる（第２電力消費装置４Ｂの消費電力に相当する電力が第２蓄電装置５Ｂから放電される）（工程＃１２４）。これに対して、第１蓄電装置５Ａを放電動作させると、即ち、第１蓄電装置５Ａが第１蓄電装置５Ａの消費電力に相当する電力を放電すると、燃料電池３は残された第３電力消費装置４Ｃの消費電力をその発電電力で賄うだけとなり、燃料電池３の発電電力が設定電力を下回ることとなる。そのため、制御装置Ｃは、第１蓄電装置５Ａを放電動作させることはない（工程＃１２８で「Ｎｏ」）。
尚、燃料電池３の発電電力及び第２蓄電装置５Ｂの放電電力の和は、電力消費装置４による合計消費電力に満たないが、その不足電力は外部電力系統１から供給される電力で賄われる。
【００４８】
時刻７時から時刻９時の間、電力消費装置４による合計消費電力は７００Ｗより大きい状態である。但し、第２電力消費装置４Ｂの消費電力は零であるため、制御装置Ｃは、第２蓄電装置５Ｂを放電動作させない（工程＃１２２において「Ｎｏ」）。更に、制御装置Ｃは、第２蓄電装置５Ｂを放電動作させないので、第１蓄電装置５Ａも放電動作させない。
尚、燃料電池３の発電電力は、電力消費装置４による合計消費電力に満たないが、その不足電力は外部電力系統１から供給される電力で賄われる。
【００４９】
時刻９時から時刻１６時３０分の間、電力消費装置４による合計消費電力は７００Ｗより小さい状態である。そのため、制御装置Ｃは、可能であれば第１蓄電装置５Ａ及び第２蓄電装置５Ｂの何れかを充電動作させる。この例では、第１蓄電装置５Ａの蓄電量が第１設定上限値以上になっている（工程＃１０４において「Ｙｅｓ」と判定される）ため、制御装置Ｃは、第２蓄電装置５Ｂを充電動作させる（工程＃１１０）。
尚、制御装置Ｃは、時刻１２時までの時点で第２蓄電装置５Ｂの蓄電量が第２設定上限値以上になる（工程＃１０８において「Ｙｅｓ」と判定される）と第２蓄電装置５Ｂの充電動作も停止させ、それ以後は何れの蓄電装置５も充電動作されなくなる。その結果、時刻１２時から時刻１６時３０分の間、燃料電池３は発電電力が設定電力（７００Ｗ）より小さい状態で運転し続ける。
【００５０】
時刻１６時３０分から時刻１８時３０分の間、合計消費電力は７００Ｗより大きい状態である。但し、第２蓄電装置５Ｂを放電動作させると、燃料電池３の発電電力が設定電力を下回る。即ち、第２蓄電装置５Ｂを放電動作させることで第２電力消費装置４Ｂの消費電力を賄うと、残された第１電力消費装置４Ａの消費電力と第３電力消費装置４Ｃの消費電力との和は設定電力より小さくなるので、燃料電池３の発電電力は設定電力より小さくなる。そのため、制御装置Ｃは、第２蓄電装置５Ｂを放電動作させない（工程＃１２２において「Ｎｏ」）。それに伴って、制御装置Ｃは、第１蓄電装置５Ａを放電動作させない。その結果、燃料電池３の発電電力（７００Ｗ）は電力消費装置４の合計消費電力に満たないが、その不足電力は外部電力系統１から供給される電力で賄われる。
【００５１】
時刻１８時３０分から時刻２２時３０分の間、合計消費電力は７００Ｗより大きい状態である。更に、第２蓄電装置５Ｂを放電動作させてその放電電力で第２電力消費装置４Ｂの消費電力を賄っても、残された第１電力消費装置４Ａの消費電力及び第３電力消費装置４Ｃの消費電力の合計は設定電力以上となり、燃料電池３の発電電力が設定電力以上となる。そのため、制御装置Ｃは、第２蓄電装置５Ｂを放電動作させる（工程＃１２４）。時刻１８時３０分から時刻２０時の間、並びに、時刻２１時から時刻２２時３０分の間、第１蓄電装置５Ａを放電動作させてその放電電力で第１電力消費装置４Ａの消費電力を賄うと、残された第３電力消費装置４Ｃの消費電力は設定電力よりも小さくなる。そのため、制御装置Ｃは、燃料電池３の発電電力が設定電力を下回ることを避けるべく、第１蓄電装置５Ａを放電動作させない（工程＃１２８において「Ｎｏ」）。尚、時刻２０時から時刻２１時の間、第１蓄電装置５Ａを放電動作させても、燃料電池３の発電電力は設定電力以上となるので、制御装置Ｃは、第１蓄電装置５Ａを放電動作させる（工程＃１３０）。
【００５２】
時刻２２時３０分から時刻２４時の間、合計消費電力は７００Ｗより大きい状態である。但し、第２蓄電装置５Ｂを放電動作させると、燃料電池３の発電電力が設定電力を下回る。そのため、制御装置Ｃは、第２蓄電装置５Ｂを放電動作させない（工程＃１２２で「Ｎｏ」）。それに伴って、制御装置Ｃは、第１蓄電装置５Ａを放電動作させない。その結果、燃料電池３の発電電力（７００Ｗ）は電力消費装置４の合計消費電力に満たないが、その不足電力は外部電力系統１から供給される電力で賄われる。
【００５３】
これに対して、図３中に破線で示す、蓄電装置５を全く設けていない比較例では、燃料電池３が定格発電電力未満に低下する時間帯が格段に増加する。その結果、本願と比較して、燃料電池３の効率的な運転が行われていないと言える。
【００５４】
＜第２実施形態＞
第２実施形態の電力供給システムは、制御装置Ｃによる蓄電装置５の動作制御の手法が第１実施形態と異なっている。以下に第２実施形態の電力供給システムについて説明するが、第１実施形態と同様の構成については説明を省略する。
【００５５】
本実施形態では、制御装置Ｃは、第１蓄電装置５Ａに放電動作を行わせること及び第２蓄電装置５Ｂに放電動作を行わせることが可能であると共に、第１蓄電装置５Ａに対して、放電電力の大きさを第１電力消費装置４Ａの消費電力の大きさとは無関係に調整して放電動作を行わせること及び第２蓄電装置５Ｂに対して、放電電力の大きさを第２電力消費装置４Ｂの消費電力の大きさとは無関係に調整して放電動作を行なわせることができる。
更に、制御装置Ｃは、第２蓄電装置５Ｂを優先的に放電動作させるようにするものの、第１蓄電装置５Ａのみを放電動作させることもあるように構成されている。
【００５６】
図５及び図６を参照して、第１蓄電装置５Ａ及び第２蓄電装置５Ｂをどのようなタイミングで充電動作させるのか及び放電動作させるのかについて説明する。図５及び図６は、制御装置Ｃが蓄電装置５に対して行う動作制御を説明するフローチャートである。
【００５７】
図５の工程＃２００において制御装置Ｃは、複数の電力消費装置４による消費電力の合計が設定電力よりも小さいか否かを判定する。本実施形態でも、燃料電池３の定格発電電力を上記「設定電力」としている。そして、制御装置Ｃは、複数の電力消費装置４による消費電力の合計が設定電力よりも小さい場合（工程＃２００において「Ｙｅｓ」の場合）には工程＃２０２に移行し、設定電力以上である場合（工程＃２００において「Ｎｏ」の場合）には工程＃２１６に移行する。
以下に、図５に示す工程＃２０２から工程＃２１４を参照して各蓄電装置５の充電動作について説明し、図６に示す工程＃２１６から工程＃２３０を参照して各蓄電装置５の放電動作について説明する。
【００５８】
〔充電動作〕
図５の工程＃２０２において制御装置Ｃは、燃料電池３の発電電力が設定電力よりも小さいか否かを判定する。更に、工程＃２１２において制御装置Ｃは、燃料電池３の発電電力が設定電力より大きいか否かを判定する。つまり、これら工程＃２０２及び工程＃２１２では、燃料電池３が設定電力よりも小さい発電電力で運転している場合（後述する工程＃２０４へ移行）、燃料電池３が設定電力よりも大きい発電電力で動作している場合（後述する工程＃２１４へ移行）、燃料電池３が設定電力に等しい発電電力で動作している場合、の何れであるかを判定していることになる。以下、それぞれの場合について説明する。
【００５９】
本実施形態でも、上記「設定電力」は、燃料電池３の定格発電電力に等しく設定される。そのため、燃料電池３が設定電力（即ち、定格発電電力）に等しい発電電力で動作していれば、燃料電池３の発電効率は高くなるという利点がある。そこで、制御装置Ｃは、設定電力に等しい発電電力で燃料電池３を動作させようとする制御を行う。
【００６０】
制御装置Ｃは、燃料電池３が設定電力よりも小さい発電電力で運転していると工程＃２０２において判定した場合、工程＃２０４へ移行する。ここで、燃料電池３の発電電力を設定電力に近づけるためには、即ち、燃料電池３の発電電力を増大させて設定電力に近づけるためには、電力線２で要求される負荷電力を増大させる必要がある。そこで、制御装置Ｃは、複数の蓄電装置５の少なくとも何れか１台に充電動作を指令して、電力線２で要求される負荷電力を増大させる。
つまり、制御装置Ｃは、複数の電力消費装置４による合計消費電力が設定電力より小さく且つ燃料電池３の発電電力が設定電力より小さければ、複数の蓄電装置５の少なくとも何れか１台に充電動作を指令する。
【００６１】
そして、工程＃２０４において制御装置Ｃは、第１蓄電装置５Ａの蓄電量は第１設定上限値以上であるか否か、即ち、第１蓄電装置５Ａは充電動作できる余裕があるか否かを判定する。例えば、この第１設定上限値は、第１蓄電装置５Ａの満充電のレベルに設定することができる。制御装置Ｃは、第１蓄電装置５Ａの蓄電量が第１設定上限値以上になっていない場合、即ち、第１蓄電装置５Ａの蓄電量が第１設定上限値よりも小さいために更に充電動作できる余裕がある場合、工程＃２０６に移行して第１蓄電装置５Ａを充電動作させる。但し、制御装置Ｃは、第１蓄電装置５Ａの蓄電量が第１設定上限値に達すると（例えば第１蓄電装置５Ａが満充電状態になると）充電動作を停止させる。
【００６２】
制御装置Ｃは、工程＃２０４において第１蓄電装置５Ａの蓄電量が第１設定上限値以上になっていると判定した場合、次に工程＃２０８に移行して第２蓄電装置５Ｂの蓄電量が第２設定上限値以上であるか否か、即ち、第２蓄電装置５Ｂは充電動作できる余裕があるか否かを判定する。例えば、この第２設定上限値は、第２蓄電装置５Ｂの満充電のレベルに設定することができる。そして、制御装置Ｃは、第２蓄電装置５Ｂの蓄電量が第２設定上限値以上になっていない場合、即ち、第２蓄電装置５Ｂの蓄電量が第２設定上限値より小さいために更に充電動作できる余裕がある場合、工程＃２１０に移行して第２蓄電装置５Ｂを充電動作させる。但し、制御装置Ｃは、第２蓄電装置５Ｂの蓄電量が第２設定上限値に達すると（例えば、第２蓄電装置５Ｂが満充電状態になると）充電動作を停止させる。
以上のように、工程＃２０６及び工程＃２１０において、燃料電池３の発電電力を第１蓄電装置５Ａ及び第２蓄電装置５Ｂを用いて充電できる。即ち、燃料電池３の余剰電力を第１蓄電装置５Ａ及び第２蓄電装置５Ｂで充電できる。
【００６３】
制御装置Ｃは、燃料電池３が設定電力よりも大きい発電電力で運転していると工程＃２１２において判定した場合、即ち、複数の蓄電装置５での充電電力が過剰である場合、工程＃２１４へ移行する。そして、工程＃２１４において制御装置Ｃは、燃料電池３の発電電力が設定電力となるように、充電動作中の蓄電装置５の充電電力を低下させる。
【００６４】
制御装置Ｃは、燃料電池３の発電電力が設定電力であると工程＃２１２において判定した場合、及び、第２蓄電装置５Ｂの蓄電量が第２設定上限値であると工程＃２０８において判定した場合、各蓄電装置５の動作状態をそのまま維持する。
【００６５】
〔放電動作〕
制御装置Ｃは、図５に示す工程＃２００において複数の電力消費装置４による消費電力の合計が設定電力以上であると判定した場合、図６に示す工程＃２１６に移行して燃料電池３の発電電力が設定電力よりも小さいか否かを判定する。
【００６６】
制御装置Ｃは、燃料電池３が設定電力以上の発電電力で運転していると工程＃２１６において判定した場合、工程＃２１８へ移行する。そして、制御装置Ｃは、工程＃２２０〜工程＃２３０の各工程において蓄電装置５を放電動作させる。
【００６７】
具体的には、工程＃２１８において制御装置Ｃは、第２蓄電装置５Ｂの蓄電量は第２設定下限値以下であるか否か、即ち、第２蓄電装置５Ｂに蓄えている電力を放電動作可能であるか否かを判定する。例えば、この第２設定下限値は、第２蓄電装置５Ｂの蓄電量が零となるレベル或いは零よりも大きい他のレベルに設定することができる。制御装置Ｃは、第２蓄電装置５Ｂの蓄電量が第２設定下限値より大きいと工程＃１１８において判定した場合、即ち、第２蓄電装置５Ｂが放電動作可能である場合、工程＃２２０に移行して第２電力消費装置４Ｂの消費電力が零ではなく、且つ、第２蓄電装置５Ｂを燃料電池３の発電電力が設定電力以上となるように上限放電電力（即ち、第２電力消費装置４Ｂの消費電力）以下の範囲で放電動作中ではないか否かを判定する。
【００６８】
つまり、第２電力消費装置４Ｂの消費電力が零であれば、制御装置Ｃは、第２蓄電装置５Ｂを放電動作させる必要はないので、次に、第１蓄電装置５Ａを放電動作させるか否かの判定（工程＃２２４）に進む。また、第２蓄電装置５Ｂが既に放電動作中であっても、次に、第１蓄電装置５Ａを放電動作させるか否かの判定（工程＃２２４）に進む。そして、制御装置Ｃは、第２電力消費装置４Ｂの消費電力が零ではなく、且つ、第２蓄電装置５Ｂを燃料電池３の発電電力が設定電力以上となるように上限放電電力以下の範囲で放電動作中ではない場合にのみ、工程＃２２２に移行する。そして、工程＃２２２において制御装置Ｃは、第２蓄電装置５Ｂを上限放電電力（即ち、第２電力消費装置４Ｂの消費電力）で放電動作させる。但し、制御装置Ｃは、第２蓄電装置５Ｂの蓄電量が第２設定下限値になった場合、又は、第２電力消費装置４Ｂの消費電力が零になった場合には、第２蓄電装置５Ｂの放電動作を停止させる。
【００６９】
制御装置Ｃは、第２蓄電装置５Ｂの蓄電量が第２設定下限値以下であると工程＃２１８において判定した場合、即ち、第２蓄電装置５Ｂが放電動作できないと判定した場合、工程＃２２４に移行する。つまり、本実施形態では、第２蓄電装置５Ｂが放電動作を行っていなくても第１蓄電装置５Ａを放電動作させることが可能であるため、制御装置Ｃは、第２蓄電装置５Ｂの蓄電量が第２設定下限値以下であったとしても（即ち、第２蓄電装置５Ｂが放電動作できないとしても）、工程＃２２４に移行して第１蓄電装置５Ａを放電動作させるか否かの判定を行う。
【００７０】
工程＃２２４において制御装置Ｃは、第１蓄電装置５Ａの蓄電量は第１設定下限値以下になっているか否か、即ち、第１蓄電装置５Ａに蓄えている電力を放電動作可能であるか否かを判定する。そして、制御装置Ｃは、第１蓄電装置５Ａの蓄電量が第１設定下限値より大きい場合、即ち、第１蓄電装置５Ａが放電動作可能である場合、工程＃２２６に移行して、第１電力消費装置４Ａの消費電力が零ではなく、且つ、第１蓄電装置５Ａを燃料電池３の発電電力が設定電力以上となるように上限放電電力（即ち、第１電力消費装置４Ａの消費電力）以下の範囲で放電動作中ではないか否か判定する。つまり、第１電力消費装置４Ａの消費電力が零であれば、制御装置Ｃは、第１蓄電装置５Ａを放電動作させる必要はない。また、第１蓄電装置５Ａが既に放電動作中であれば、新たに第１蓄電装置５Ａを放電動作させる必要はない。そして、制御装置Ｃは、第１電力消費装置４Ａの消費電力が零ではなく、且つ、第１蓄電装置５Ａを燃料電池３の発電電力が設定電力以上となるように上限放電電力以下の範囲で放電動作中ではない場合にのみ、工程＃２２８に移行する。そして、工程＃２２８において制御装置Ｃは、第１蓄電装置５Ａを燃料電池３の発電電力が設定電力となるように上限放電電力以下の範囲で放電動作させる。但し、制御装置Ｃは、第１蓄電装置５Ａの蓄電量が第１設定下限値になった場合、又は、第１電力消費装置４Ａの消費電力が零になった場合には、第１蓄電装置５Ａの放電動作を停止させる。
【００７１】
制御装置Ｃは、燃料電池３が設定電力より小さい発電電力で運転していると工程＃２１６において判定した場合、工程＃２３０へ移行する。つまり、消費電力の合計が設定電力以上であるにも関わらず燃料電池３が設定電力より小さい発電電力で運転しているのは、何れかの蓄電装置５の放電電力が過剰であるからである。従って、工程＃２３０において制御装置Ｃは、燃料電池３の発電電力が設定電力以上となるように、放電動作中の蓄電装置５の放電動作を低下させる。尚、制御装置Ｃは、第１蓄電装置５Ａ及び第２蓄電装置５Ｂの両方が放電動作中である場合、第１蓄電装置５Ａの放電電力の低下を優先して行わせる。
【００７２】
以上のように、制御装置Ｃは、複数の蓄電装置５の少なくとも何れか１台に放電動作の指令を与えようとするとき、第２蓄電装置５Ｂに対しては、第２蓄電装置５Ｂの蓄電量が第２設定下限値以下ではないこと、且つ、第２電力消費装置４Ｂの消費電力が零ではないことを条件として、燃料電池３の発電電力が設定電力（放電用設定電力）となるように第２電力消費装置４Ｂの消費電力以下の範囲の放電電力での放電動作の指令を与え、第１蓄電装置５Ａに対しては、第２蓄電装置５Ｂの蓄電量が零である又は第２蓄電装置５Ｂが放電動作中であること、且つ、第１蓄電装置５Ａの蓄電量が第１設定下限値以下ではないこと、且つ、第１電力消費装置４Ａの消費電力が零ではないことを条件として、燃料電池３の発電電力が設定電力（放電用設定電力）となるように第１電力消費装置４Ａの消費電力以下の範囲の放電電力での放電動作の指令を与えている。つまり、第２蓄電装置５Ｂに放電動作の指令を与えるときには、第１蓄電装置５Ａの状態によって制約を受けないが、第１蓄電装置５Ａに放電動作の指令を与えるときには、第２蓄電装置５Ｂの状態によって制約を受けることになる。その結果、複数の蓄電装置５に対して放電動作の指令を与えようとするとき、第２蓄電装置５Ｂには第１蓄電装置５Ａよりも優先して放電動作の指令が与えられるようになる。従って、第２蓄電装置５Ｂの蓄電量は、第１蓄電装置５Ａの蓄電量よりも優先して減少するようになり、結果として第１蓄電装置５Ａの蓄電量を相対的に多く残すことができる。
【００７３】
次に図７を参照して第２実施形態の電力供給システムの動作の一例について説明する。この例では、上記設定電力を７００Ｗとしている。図７は、電力消費装置４の消費電力と蓄電装置５の充放電動作と燃料電池３の発電電力との関係を説明する図である。この例では、上記設定電力を７００Ｗとしている。この７００Ｗという値は燃料電池３の定格発電電力である。
尚、図７中に破線で示すのは、蓄電装置を設けていない場合に燃料電池３の発電電力がどのように変化するのかを示す比較例である。
【００７４】
以下、先ず本願の構成である蓄電装置を電力消費装置別に設けている例について説明する。
時刻０時から時刻６時までの間、電力消費装置４による合計消費電力は約２００Ｗであり、設定電力（７００Ｗ）より小さい状態である。そのため、制御装置Ｃは、先ず第１蓄電装置５Ａを充電動作させ（工程＃２０６）、第１蓄電装置５Ａの蓄電量が第１設定上限値になった後で第２蓄電装置５Ｂを充電動作させる（工程＃２１０）。
このように、第１蓄電装置５Ａ及び第２蓄電装置５Ｂを充電動作させることで、電力線２で要求される負荷電力を増大させることができるので、燃料電池３の発電電力を高く維持することができる。これに対して、蓄電装置を設けていない場合には、電力線２で要求される負荷電力を増大させることができないので、図４中に破線で示すように燃料電池３は低い発電電力（即ち、低い発電効率）で運転せざるを得なくなる。
【００７５】
時刻６時から時刻７時までの間、電力消費装置４による合計消費電力は７００Ｗより大きい状態である。そのため、制御装置Ｃは、第２蓄電装置５Ｂを放電動作させる。このとき、制御装置Ｃは、燃料電池３の発電電力が設定電力以上となるように上限放電電力（即ち、第２電力消費装置４Ｂの消費電力）以下の範囲で第２蓄電装置５Ｂの放電電力を制御する（工程＃２２２）。尚、第２電力消費装置４Ｂの消費電力の全てを第２蓄電装置５Ｂの放電電力で賄っても、第１電力消費装置４Ａの消費電力と第３電力消費装置４Ｃの消費電力との合計は、７００Ｗよりも大きくなる（即ち、工程＃２００において「Ｎｏ」と判定される）。そこで、制御装置Ｃは、燃料電池３の発電電力が設定電力以上となるように上限放電電力（即ち、第１電力消費装置４Ａの消費電力）以下の範囲で第１蓄電装置５Ａの放電電力を制御する（工程＃２２８）。この場合、第１蓄電装置５Ａの放電電力は、電力消費装置４による合計消費電力から、燃料電池３の発電電力（７００Ｗ）及び第２蓄電装置５Ｂの放電電力を減算して導出される電力（但し、第１電力消費装置４Ａの消費電力以下）となる。
【００７６】
時刻７時から時刻９時の間、電力消費装置４による合計消費電力は７００Ｗより大きい状態である。但し、第２電力消費装置４Ｂの消費電力は零であるため、制御装置Ｃは、第２蓄電装置５Ｂを放電動作させない（工程＃２２０において「Ｎｏ」）。そこで、制御装置Ｃは、燃料電池３の発電電力が設定電力以上となるように上限放電電力（即ち、第１電力消費装置４Ａの消費電力）以下の範囲で第１蓄電装置５Ａの放電電力を制御する（工程＃２２８）。
【００７７】
時刻９時から時刻１６時３０分の間、電力消費装置４による合計消費電力は７００Ｗより小さい状態である。そのため、制御装置Ｃは、可能であれば第１蓄電装置５Ａ及び第２蓄電装置５Ｂの何れかを充電動作させる。この例では、制御装置Ｃは、時刻９時から時刻１１時３０分の間に第１蓄電装置５Ａの充電動作を優先して行い（工程＃２０６）、第１蓄電装置５Ａの蓄電量が第１設定上限値以上になると、その後、第２蓄電装置５Ｂの充電動作を行う（工程＃２１０）。
尚、制御装置Ｃは、時刻１４時までの時点で第２蓄電装置５Ｂの蓄電量が第２設定上限値以上になる（工程＃２０８において「Ｙｅｓ」と判定される）と第２蓄電装置５Ｂの充電動作も停止させ、それ以後は何れの蓄電装置５も充電動作されなくなる。その結果、時刻１４時から時刻１６時３０分の間、燃料電池３は発電電力が設定電力（７００Ｗ）より小さい状態で運転し続ける。
【００７８】
時刻１６時３０分から時刻２４時の間、合計消費電力は７００Ｗより大きい状態である。制御装置Ｃは、燃料電池３の発電電力が設定電力以上となるように上限放電電力（即ち、第２電力消費装置４Ｂの消費電力）以下の範囲で第２蓄電装置５Ｂの放電電力を制御する（工程＃２２２）。
更に、時刻１８時３０分から時刻２２時３０分の間、第２電力消費装置４Ｂの消費電力の全てを第２蓄電装置５Ｂの放電電力で賄っても、第１電力消費装置４Ａの消費電力と第３電力消費装置４Ｃの消費電力との合計は、７００Ｗよりも大きくなる（即ち、工程＃２００において「Ｎｏ」と判定される）。そこで、制御装置Ｃは、燃料電池３の発電電力が設定電力以上となるように上限放電電力（即ち、第１電力消費装置４Ａの消費電力）以下の範囲で第１蓄電装置５Ａの放電電力を制御する（工程＃２２８）。
【００７９】
これに対して、図３中に破線で示す、蓄電装置５を全く設けていない比較例では、燃料電池３が定格発電電力未満に低下する時間帯が格段に増加する。その結果、本願と比較して、燃料電池３の効率的な運転が行われていないと言える。
【００８０】
＜別実施形態＞
＜１＞
上記実施形態において、電力供給システムの構成を適宜変更してもよい。例えば、発電装置の一例として燃料電池を挙げたが、エンジンとそのエンジンによって駆動される発電機とで構成される発電装置など他の種類の装置を用いてもよい。
また、上記実施形態では、設定電力を発電装置（燃料電池３）の定格発電電力とした場合を例示したが、定格発電電力以外の他の電力値を上記設定電力としてもよい。また、設定電力は固定値でもよく、或いは、変動値でもよい。例えば、太陽光発電装置を本発明の発電装置として用いた場合、太陽光発電装置の定格発電電力は変動値となる。従って、上記設定電力として太陽光発電装置の定格発電電力を採用した場合、設定電力は変動値となる。
更に、上記実施形態では、電力消費装置４を３種類に分類した例を説明したが、少なくとも２種類に分類し、それぞれの電力消費装置４が上記第１蓄電装置５Ａ又は上記第２蓄電装置５Ｂに接続されるように構成しておけばよい。
【００８１】
＜２＞
上記実施形態では、図２及び図３並びに図５及び図６に示したフローチャートを参照して、制御装置Ｃが、第１蓄電装置５Ａに対する充電動作の指令を第２蓄電装置５Ｂに対する充電動作の指令よりも優先して与えようとする制御、及び、第２蓄電装置５Ｂに対する放電動作の指令を第１蓄電装置５Ａに対する放電動作の指令よりも優先して与えようとする制御を共に行う例を説明したが、第１蓄電装置５Ａに対する充電動作の指令を第２蓄電装置５Ｂに対する充電動作の指令よりも優先して与えようとする制御、及び、第２蓄電装置５Ｂに対する放電動作の指令を第１蓄電装置５Ａに対する放電動作の指令よりも優先して与えようとする制御の何れか一方を行うことでもよい。
【００８２】
＜３＞
上記実施形態において、各蓄電装置５の蓄電量の設定上限値及び設定下限値は適宜設定可能である。例えば、非常時に対応できるだけの充電余裕及び放電余裕を充分に確保しておこうとした場合には、蓄電装置５の蓄電量の設定上限値は満充電のレベルよりも低く設定しておけばよく、蓄電装置５の蓄電量の設定下限値は蓄電量が零のレベルよりも高く設定しておけばよい。また、第１蓄電装置５Ａ及び第２蓄電装置５Ｂは同容量であってもよく、或いは、別容量であってもよい。更に、第１蓄電装置５Ａの蓄電量及び第２蓄電装置５Ｂの蓄電量の各設定上限値及び各設定下限値は各別に設定可能である。
【００８３】
＜４＞
上記実施形態では、電力供給システムが、第１電力消費装置４Ａ及び第１蓄電装置５Ａを含む群を一つ備えている例を説明したが、第１電力消費装置４Ａ及び第１蓄電装置５Ａを含む群を複数備えていてもよい。つまり、電力供給システムにおいて、複数の蓄電装置５の内の一つ又は二以上の第１蓄電装置５Ａに対して、複数の電力消費装置４の内の少なくとも一つの第１電力消費装置４Ａが接続されている構成を採用できる。
同様に、上記実施形態では、電力供給システムが、第２電力消費装置４Ｂ及び第２蓄電装置５Ｂを含む群を一つ備えている例を説明したが、第２電力消費装置４Ｂ及び第２蓄電装置５Ｂを含む群を複数備えていてもよい。つまり、電力供給システムにおいて、複数の蓄電装置５の内の他の一つ又は二以上の第２蓄電装置５Ｂに対して、複数の電力消費装置４の内の少なくとも一つの第２電力消費装置４Ｂが接続されている構成を採用できる。
【００８４】
＜５＞
上記実施形態では、複数の蓄電装置５の内の一つ又は二以上の装置を第１蓄電装置５Ａとし、他の一つ又は二以上の装置を第２蓄電装置５Ｂとした例を説明したが、複数の蓄電装置５の夫々を第１蓄電装置５Ａとするのか或いは第２蓄電装置５Ｂとするのかを動的に変更してもよい。例えば、制御装置Ｃが、所定の重要度決定規則に従って、複数の電力消費装置４の夫々の重要度の高低を変更し、それに伴って、複数の蓄電装置５の夫々の重要度の高低を変更してもよい。つまり、第１電力消費装置４Ａと設定されていた装置及びそれに接続されて第１蓄電装置５Ａと設定されていた装置が、第２電力消費装置４Ｂとして設定変更され及び第２蓄電装置５Ｂとして設定変更される場合、或いは、その逆の場合などもある。このように、複数の蓄電装置５の夫々は、接続されている電力消費装置４の重要度の高低に応じて区別（即ち、第１蓄電装置５Ａであるか或いは第２蓄電装置５Ｂであるかの区別）され、電力消費装置４の重要度が設定変更されれば、それに接続される蓄電装置５の重要度も設定変更される。
上記重要度決定規則の一例としては、時間帯に応じて各電力消費装置４の重要度を変更することなどがある。例えば、ある電力消費装置４について、特定の時間帯では重要度を高く設定して（即ち、第１電力消費装置４Ａと設定して）、他の時間帯では重要度を低く設定する（即ち、第２電力消費装置４Ｂと設定する）といった重要度決定規則を一例として挙げることができる。尚、この重要度決定規則は一例として挙げたものであり、他の内容の重要度決定規則を採用してもよい。
【００８５】
＜６＞
上記実施形態では、充電用設定電力と放電用設定電力とが同じ値である例について説明したが、放電用設定電力は充電用設定電力以上であればよい。例えば、放電用設定電力として、充電用設定電力とは異なる値、具体的には充電用設定電力よりも大きい値を設定してもよい。
【産業上の利用可能性】
【００８６】
本発明は、特定の電力消費装置が利用可能な電力を、他の電力消費装置が利用可能な電力よりも多く確保しておくことができる電力供給システムに利用できる。
【符号の説明】
【００８７】
１  外部電力系統
２  電力線
２Ａ  電力線
２Ｂ  電力線
２Ｃ  電力線
３  燃料電池（発電装置）
４  電力消費装置
４Ａ  第１電力消費装置
４Ｂ  第２電力消費装置
４Ｃ  第３電力消費装置
５  蓄電装置
５Ａ  第１蓄電装置
５Ｂ  第２蓄電装置
６  第１電力計測手段
７  第２電力計測手段
８  第３電力計測手段
９  第４電力計測手段
Ｃ  制御装置
【図１】
0005868254.tif 000002
【図２】
0005868254.tif 000003
【図３】
0005868254.tif 000004
【図４】
0005868254.tif 000005
【図５】
0005868254.tif 000006
【図６】
0005868254.tif 000007
【図７】
0005868254.tif 000008